(57)【要約】【課題】表示層及び軟質層の割れを抑制する。【解決手段】表示体１０では、印刷層２０の表側面に凹部２０Ａが形成されることで、凹部２０Ａによって透明材１８の表側に表示が行われている。ここで、接着材１４が透明材１８及び印刷層２０に比し軟質なものにされることで、印刷層２０の表側面に凹部２０Ａが形成された際に、接着材１４の裏側面に凹部２０Ａとは反対側において凸部２０Ｂが形成されると共に、接着材１４の表側面が凸部２０Ｂ位置において凹状に変形されている。このため、印刷層２０及び接着材１４に割れが発生することを抑制できる。【選択図】図２
2016117192.tif 000002
【特許請求の範囲】
【請求項１】
光を透過する透過層と、
前記透過層の裏側に設けられ、表側面に凹部が形成されて前記凹部によって前記透過層の表側に表示が行われると共に、裏側面に前記凹部とは反対側において凸部が形成された表示層と、
前記表示層の裏側に設けられると共に、前記透過層及び前記表示層の少なくとも一方に比し軟質にされ、表側面が前記凸部位置において凹状に変形された軟質層と、
を備えた表示体。
【請求項２】
前記透過層の裏側面が前記凹部位置において凹状に変形されない請求項１記載の表示体。
【請求項３】
前記表示層が前記透過層の表側からのレーザによって気化可能にされた請求項１又は請求項２記載の表示体。
【請求項４】
前記表示層が前記透過層の表側からのレーザによって発泡可能にされた請求項３記載の表示体。
【請求項５】
前記凹部を線状又は点状にした請求項１〜請求項４の何れか１項記載の表示体。
【発明の詳細な説明】
【技術分野】
【０００１】
本発明は、透過層の表側に表示が行われる表示体に関する。
【背景技術】
【０００２】
下記特許文献１に記載のレーザ印字用ラベルでは、基材フィルムの裏側にアルミニウム層が設けられると共に、アルミニウム層の裏側に不透明インク層が設けられている。さらに、アルミニウム層に孔部が貫通形成されており、不透明インク層によって孔部を介して基材フィルムの表側に表示が行われる。
【０００３】
ここで、アルミニウム層の表側面に凹部を形成して、基材フィルムとアルミニウム層との界面での光の反射率を凹部において変化させることで、凹部によって基材フィルムの表側に表示を行うことが考えられる。
【０００４】
しかしながら、アルミニウム層の表側面に凹部を形成することで、アルミニウム層及び不透明インク層の少なくとも一方に割れが発生する可能性がある。
【先行技術文献】
【特許文献】
【０００５】
【特許文献１】特開２０１２−２０８２８３号公報
【発明の概要】
【発明が解決しようとする課題】
【０００６】
本発明は、上記事実を考慮し、表示層及び軟質層の割れを抑制できる表示体を得ることが目的である。
【課題を解決するための手段】
【０００７】
請求項１に記載の表示体は、光を透過する透過層と、前記透過層の裏側に設けられ、表側面に凹部が形成されて前記凹部によって前記透過層の表側に表示が行われると共に、裏側面に前記凹部とは反対側において凸部が形成された表示層と、前記表示層の裏側に設けられると共に、前記透過層及び前記表示層の少なくとも一方に比し軟質にされ、表側面が前記凸部位置において凹状に変形された軟質層と、を備えている。
【０００８】
請求項２に記載の表示体は、請求項１に記載の表示体において、前記透過層の裏側面が前記凹部位置において凹状に変形されない。
【０００９】
請求項３に記載の表示体は、請求項１又は請求項２に記載の表示体において、前記表示層が前記透過層の表側からのレーザによって気化可能にされている。
【００１０】
請求項４に記載の表示体は、請求項３に記載の表示体において、前記表示層が前記透過層の表側からのレーザによって発泡可能にされている。
【００１１】
請求項５に記載の表示体は、請求項１〜請求項４の何れか１項に記載の表示体において、前記凹部を線状又は点状にしている。
【発明の効果】
【００１２】
請求項１に記載の表示体では、透過層が光を透過すると共に、透過層の裏側に表示層が設けられており、表示層の表側面に凹部が形成されて、凹部によって透過層の表側に表示が行われる。
【００１３】
ここで、表示層の裏側に軟質層が設けられており、軟質層が透過層及び表示層の少なくとも一方に比し軟質にされることで、表示層の裏側面に凹部とは反対側において凸部が形成されると共に、軟質層の表側面が表示層の凸部位置において凹状に変形されている。このため、表示層及び軟質層の割れを抑制できる。
【００１４】
請求項２に記載の表示体では、透過層の裏側面が表示層の凹部位置において凹状に変形されない。このため、凹部から透過層に入射された光が分散されることを抑制でき、凹部による透過層の表側への表示の視認性を良好にできる。
【００１５】
請求項３に記載の表示体では、表示層が透過層の表側からのレーザによって気化可能にされている。このため、透過層の表側からのレーザによって表示層を気化させることで、表示層の表側面に凹部を形成できる。
【００１６】
請求項４に記載の表示体では、表示層が透過層の表側からのレーザによって発泡可能にされている。このため、透過層の表側からのレーザによって表示層を発泡させることで、表示層の表側面に泡状の凹部を形成できる。これにより、泡状の凹部が光を乱反射することで、凹部による透過層の表側への表示の視認性を向上できる。
【００１７】
請求項５に記載の表示体では、凹部が線状又は点状にされている。このため、凹部の面積を小さくでき、表示層の表側面への凹部形成状態を効果的に維持できる。
【図面の簡単な説明】
【００１８】
【図１】本発明の実施形態に係る表示体の凹部形成時を示す断面図である。
【図２】本発明の実施形態に係る表示体を示す断面図である。
【図３】（Ａ）は、本発明の実施形態に係る表示体における表示の連続部分を示す拡大平面図であり、（Ｂ）は、本発明の実施形態に係る表示体における表示の連続部分の別例を示す拡大平面図である。
【図４】本発明の実施形態に係る表示体の別例を示す断面図である。
【発明を実施するための形態】
【００１９】
図２には、本発明の実施形態に係る表示体１０が断面図にて示されている。
【００２０】
本実施形態に係る表示体１０は、例えば、車両用携帯機（例えば携帯キー）にされている。
【００２１】
図２に示す如く、表示体１０には、本体部材としての例えば樹脂製で板状の基材１２が設けられており、基材１２の表側面は、表示体１０の外周面の内側近傍に配置されている。
【００２２】
基材１２の表側には、軟質層としての接着材１４が設けられており、接着材１４は、接着剤又は両面テープ等にされて、接着性を有している。接着材１４は、軟質なものにされており、接着材１４は、柔軟性（例えば弾力性）を有している。
【００２３】
接着材１４の表側には、オーナメント１６が設けられており、オーナメント１６の裏側面は、接着材１４によって基材１２の表側面に接着されている（貼付けられている）。
【００２４】
オーナメント１６の表側部分には、透過層としての樹脂製の透明材１８が設けられており、透明材１８は、透明にされて、光を透過可能にされている。透明材１８は、接着材１４に比し硬質なものにされており、透明材１８は、表側面が表示体１０の外周面を構成すると共に、裏側面が基材１２の表側面に沿って配置されている。
【００２５】
透明材１８の裏側（オーナメント１６の裏側端部）には、表示層としての樹脂製の印刷層２０が印刷によって設けられており、オーナメント１６は、印刷層２０の裏側面において、接着材１４によって基材１２の表側面に接着されている。印刷層２０は、接着材１４に比し硬質なものにされると共に、透明材１８に比し軟質なものにされており、印刷層２０は、光を透過不能にされている。
【００２６】
印刷層２０は、レーザＬ（図１参照）を吸収することで、気化されてガスを発生可能にされている。これにより、透明材１８の表側から照射されたレーザＬが、透明材１８を透過して、印刷層２０に吸収されることで、印刷層２０が、気化されて、表側にガスを発生する。このため、当該ガスによって、透明材１８の裏側面は凹状に変形されずに、印刷層２０が接着材１４側に変形されることで、透明材１８の裏側面と印刷層２０の表側面との間に空間が形成されて、印刷層２０の表側面に凹部２０Ａが形成されると共に、印刷層２０の裏側面に凸部２０Ｂが形成されている。しかも、印刷層２０の裏側面に凸部２０Ｂが形成されることで、接着材１４の表側面が凹状に変形されて、接着材１４の表側面に変形凹部１４Ａが形成されている。なお、レーザＬは、例えばＹＡＧ、ＹＶＯ４、ＳＨＧ−ＹＡＧ、ＳＨＧ−ＹＶＯ４、又は、ファイバーレーザ等であって、透明材１８を透過して印刷層２０に吸収される波長のものにされている。
【００２７】
また、透明材１８の表側から照射されるレーザＬが透明材１８の表側面に沿って移動されることで、印刷層２０の表側面の凹部２０Ａが正面視線状に形成されている。
【００２８】
透明材１８の表側からの光は、透明材１８の裏側面と印刷層２０の表側面との界面で透明材１８の表側に反射される。さらに、透明材１８の裏側面と印刷層２０の表側面との界面での光の反射率は、凹部２０Ａにおいて変化される。これにより、図３（Ａ）に示す如く、凹部２０Ａによって透明材１８の表側に表示２２が行われており、表示２２は、例えば文字や図形等による認証表記、シリアル番号、ロゴマーク、又は、カーボンファイバー等の幾何学的な柄にされている。さらに、表示２２の連続部分（例えば連続した１文字）は、小間隔で形成された複数の凹部２０Ａによって構成されている。
【００２９】
次に、本実施形態の作用を説明する。
【００３０】
以上の構成の表示体１０では、オーナメント１６（透明材１８及び印刷層２０）の裏側面が接着材１４によって基材１２の表側面に接着されており、印刷層２０の表側面に凹部２０Ａが形成されることで、透明材１８の裏側面と印刷層２０の表側面との界面での光の反射率が凹部２０Ａにおいて変化されて、凹部２０Ａによって透明材１８の表側に表示２２が行われている。
【００３１】
ここで、印刷層２０が、レーザＬを吸収することで、気化されてガスを発生可能にされており、透明材１８の表側から照射されたレーザＬが透明材１８を透過して印刷層２０に吸収されることで、印刷層２０が気化によりガスを発生して、印刷層２０の表側面に凹部２０Ａが形成されている。このため、表示体１０の内部に表示２２を設けることができ、表示２２が設けられたラベル（シール等）を透明材１８の表側面に貼付ける場合とは異なり、コストを低減できると共に、表示２２が消えることを抑制できる。
【００３２】
さらに、接着材１４が透明材１８及び印刷層２０に比し軟質なものにされることで、印刷層２０の表側面に凹部２０Ａが形成された際に、接着材１４の裏側面に凹部２０Ａとは反対側において凸部２０Ｂが形成されると共に、接着材１４の表側面に印刷層２０の凸部２０Ｂ位置において変形凹部１４Ａが形成されている。このため、オーナメント１６の裏側面が基材１２の表側面に接着材１４によって接着された後に印刷層２０の表側面に凹部２０Ａが形成されても、印刷層２０の接着材１４側への変形が許容されて、印刷層２０及び接着材１４に割れ（クラック）等が発生する（印刷層２０及び接着材１４が破壊される）ことを抑制できる。これにより、表示２２に欠陥が発生することを抑制できると共に、表示体１０の製造最終工程において表示体１０に表示２２を設けることができる。
【００３３】
また、透明材１８が印刷層２０に比し硬質なものにされており、上述の如く印刷層２０が気化によりガスを発生しても、透明材１８の裏側面が印刷層２０の凹部２０Ａ位置において凹状に変形されない。このため、凹部２０Ａから透明材１８に入射された光が分散されることを抑制でき、凹部２０Ａによる透明材１８の表側への表示２２の視認性を良好にできる。しかも、透明材１８の表側面が硬質なものにされることで、透明材１８の表側面を表示体１０の外周面に適したものにすることができる。
【００３４】
さらに、表示２２の連続部分が小間隔で形成された複数の正面視線状の凹部２０Ａによって構成されている。このため、表示２２の連続部分が１つの正面視面状の凹部２０Ａによって構成される場合とは異なり、凹部２０Ａ全体の正面視面積を小さくでき、印刷層２０の表側面への凹部２０Ａ形成状態を効果的に維持できると共に、透明材１８が印刷層２０から凹部２０Ａよって剥がれ易くなることを抑制できる。
【００３５】
また、接着材１４が熱処理等により硬化処理可能な材料にされた場合には、レーザＬの照射によって接着材１４の表側面に変形凹部１４Ａが形成された後に、接着材１４を硬化処理することで、接着材１４の表側面への変形凹部１４Ａ形成状態を効果的に維持できて、印刷層２０の表側面への凹部２０Ａ形成状態を効果的に維持できる。
【００３６】
なお、本実施形態において、レーザＬの種類及び条件や印刷層２０の材料を調整する（例えば印刷層２０の材料を発泡剤が含まれるものにする）ことによって、印刷層２０がレーザＬを吸収することで発泡可能にされてもよい。この場合、図４に示す如く、透明材１８の表側から照射されたレーザＬが透明材１８を透過して印刷層２０に吸収されることで、印刷層２０が発泡されて、印刷層２０の表側面に泡状の凹部２０Ａが形成される。これにより、泡状の凹部２０Ａが光を乱反射することで、凹部２０Ａによる透明材１８の表側への表示２２の視認性を向上できる。
【００３７】
また、本実施形態では、凹部２０Ａを正面視線状にした。しかしながら、例えば図３（Ｂ）に示す如く、これと共に、又は、これに代えて、凹部２０Ａを正面視点状にしてもよい。
【００３８】
さらに、本実施形態では、接着材１４を透明材１８及び印刷層２０に比し軟質なものにした。しかしながら、接着材１４を透明材１８及び印刷層２０の少なくとも一方に比し軟質なものにすればよい。
【００３９】
また、本実施形態では、表示体１０を車両用携帯機にした。しかしながら、表示体１０を車両用携帯機以外のもの（例えば車両の車室の内装体）にしてもよい。
【符号の説明】
【００４０】
１０    表示体
１４    接着材（軟質層）
１８    透明材（透過層）
２０    印刷層（表示層）
２０Ａ  凹部
２０Ｂ  凸部
２２    表示
Ｌ    レーザ
【図１】
2016117192.tif 000003
【図２】
2016117192.tif 000004
【図３】
2016117192.tif 000005
【図４】
2016117192.tif 000006